(57)【要約】【課題】遊技球が始動入賞口に入賞したときに、球受け部材の回動回数がどのようになるについて期待感が高められるようなパチンコ遊技機の入賞制御装置を提供する。【解決手段】遊技盤に設けた可変入賞球装置２０は、両側部に入球口２２ａ，２２ｂを設けると共に入球口を開閉する球受け部材２３ａ，２３ｂを設けている。可変入賞球装置の下側には一対の始動口１４ａ，１４ｂが設けられ、始動口の間には変動図柄のうちの一の図柄を選択して表示する変動図柄表示部１５が設けられている。始動口に遊技球が入賞すると、制御回路により球受け部材の開閉回数が決定され、それに応じて変動図柄表示部が変動表示後に一の図柄を表示する。開閉回数は通常回数である１回と、特別回数である２回に分けられ、各々に応じて定められた図柄が表示される。図柄表示後、球受け部材の開閉動作が行われる。【選択図】図２
2006255470.tif 000002
【特許請求の範囲】
【請求項１】
パチンコ遊技機の遊技盤面に設けられ、入球口と該入球口を開閉する球受け部材とを備え、内部に特別入賞口と通常入賞口とが設けられた可変入賞装置と、
前記遊技盤面に設けられた２個の始動入賞口と、
前記遊技盤面において前記２個の始動入賞口の間に設けられ、前記２個の始動入賞口に対応した２つの表示領域を有し、各表示領域にて複数の図柄を変動表示すると共に変動表示を停止して各々一つの図柄を表示する変動図柄表示部と、
前記始動入賞口への遊技球の入賞に応じて、前記球受け部材の開閉回数を決定する開閉回数決定手段と、
前記２個の始動入賞口のいずれか一方への遊技球の入賞により、前記開閉回数決定手段の決定結果に応じて、該始動入賞口に対応した一の表示領域に他の表示領域と異なる図柄もしくは同一図柄を表示させる図柄表示制御手段と、
前記一の表示領域における一の図柄の表示後に、前記開閉回数決定手段の決定結果に応じて前記球受け部材を開閉させる球受け部材開閉制御手段とを設け、
前記可変入賞装置には、前記入球口に連絡通路を介して続く開口部に入賞球検出スイッチが取り付けられているとともに、前記特別入賞口の内部に特別入賞球検出スイッチが設けられており、前記入賞球検出スイッチが遊技球を検出した場合に限り、前記入賞球検出スイッチによる大入賞判定を行うことを特徴とするパチンコ遊技機の入賞制御装置。
【請求項２】
前記２つの表示領域は共に前記変動図柄表示部にて隣接して設けられ、前記２個の始動入賞口及び前記２つの表示領域は、それぞれ左右の位置関係にあり、右側の始動入賞口は右側の表示領域に、左側の始動入賞口は左側の表示領域にそれぞれ対応することを特徴とするパチンコ遊技機の入賞制御装置。
【発明の詳細な説明】
【技術分野】
【０００１】
本発明は、パチンコ遊技機の入賞制御装置に係り、特にその改良に関する。
【背景技術】
【０００２】
従来、パチンコ遊技機の入賞制御装置は、例えば図９に示すように、遊技盤１の中央に可変入賞球装置２を設けていた。可変入賞球装置２は、左右上部に設けた入球口２ａを開閉する球受け部材２ｂと、入球口２ａから内部に入球した遊技球を一定の特典が得られる大入賞と通常の入賞とに選別する大入賞選別手段２ｃとを設けていた。さらに、可変入賞球装置２の下方に、３個の始動入賞口３ａ，３ｂが設けられていた。そして、左右の両側の始動入賞口３ａに遊技球が入賞したときには、球受け部材２ｂを１回だけ回動させて入球口２ａを０．５秒程度開放し、また中央の始動入賞口３ｂに入賞したときには、球受け部材２ｂを２回回動させて入球口２ａを各々０．５秒程度開放し、内部への遊技球の入球を可能にし、さらに大入賞選別手段２ｃにより大入賞か通常の入賞かの選別が行われていた。
【発明の開示】
【発明が解決しようとする課題】
【０００３】
しかし、上記入賞制御装置においては、遊技球が入賞した始動入賞口の種類によって球受け部材の回動回数が１回あるいは２回に予め定められているため、遊技者は、球受け部材の回動回数については何等の期待感をもつことができず、パチンコゲームが単調化されるという問題があった。
本発明は、上記した問題を解決しようとするもので、遊技球が始動入賞口に入賞したときに、球受け部材の回動回数がどのようになるについて期待感が高められるようなパチンコ遊技機の入賞制御装置を提供することを目的とする。
【課題を解決するための手段】
【０００４】
前記目的を達成するため請求項１に係るパチンコ遊技機の入賞制御装置は、パチンコ遊技機の遊技盤面に設けられ、入球口と該入球口を開閉する球受け部材とを備え、内部に特別入賞口と通常入賞口とが設けられた可変入賞装置と、前記遊技盤面に設けられた２個の始動入賞口と、前記遊技盤面において前記２個の始動入賞口の間に設けられ、前記２個の始動入賞口に対応した２つの表示領域を有し、各表示領域にて複数の図柄を変動表示すると共に変動表示を停止して各々一つの図柄を表示する変動図柄表示部と、前記始動入賞口への遊技球の入賞に応じて、前記球受け部材の開閉回数を決定する開閉回数決定手段と、前記２個の始動入賞口のいずれか一方への遊技球の入賞により、前記開閉回数決定手段の決定結果に応じて、該始動入賞口に対応した一の表示領域に他の表示領域と異なる図柄もしくは同一図柄を表示させる図柄表示制御手段と、前記一の表示領域における一の図柄の表示後に、前記開閉回数決定手段の決定結果に応じて前記球受け部材を開閉させる球受け部材開閉制御手段とを設け、前記可変入賞装置には、前記入球口に連絡通路を介して続く開口部に入賞球検出スイッチが取り付けられているとともに、前記特別入賞口の内部に特別入賞球検出スイッチが設けられており、前記入賞球検出スイッチが遊技球を検出した場合に限り、前記入賞球検出スイッチによる大入賞判定を行うことを特徴とする。
また、上記請求項２に係る発明の構成上の特徴は、前記請求項１に記載のパチンコ遊技機の入賞制御装置において、前記２つの表示領域は共に前記変動図柄表示部にて隣接して設けられ、前記２個の始動入賞口及び前記２つの表示領域は、それぞれ左右の位置関係にあり、右側の始動入賞口は右側の表示領域に、左側の始動入賞口は左側の表示領域にそれぞれ対応することにある。
【発明を実施するための最良の形態】
【０００５】
以下、本発明の一実施形態を図面を用いて説明すると、図１は第１の実施形態に係るパチンコ遊技機の本体１０を正面図により概略的に示したものである。本体１０は、中央上側に遊技盤１１を設けており、遊技盤１１は円形のガイドレール１１ｂに囲まれた遊技領域１１ａを設けている。遊技領域１１ａの中央には、入球した遊技球の大入賞か通常の入賞かを選別する可変入賞球装置（可変入賞装置）２０が取り付けられている。可変入賞球装置２０の左右側には一対の入賞口１２ａ，１２ｂが設けられ、また入賞口１２ａ，１２ｂの下側には、一対の入賞口１３ａ，１３ｂが設けられている。そして、可変入賞球装置２０の斜め下側には、一対の始動口（始動入賞口）１４ａ，１４ｂが設けられている。始動口１４ａ，１４ｂの間には、始動口への遊技球の入賞に応じて数字、文字、図形等からなる所定数の変動図柄を表示する変動図柄表示部１５が設けられている。さらに入賞口１２ａ，１２ｂの横のガイドレール１１ｂに近接してサイドランプ１６ａ，１６ｂが設けられ、また変動図柄表示部１５の下側には、アウト球を機外に排出する排出口１７が設けられている。
【０００６】
可変入賞球装置２０は、図２に示すように、全面が開放された箱状のケース２０ａを設けており、上部中央に入賞口２１を設けている。ケース２０ａの両側部の上端近傍には入球口２２ａ，２２ｂが設けられ、入球口２２ａ，２２ｂの下端には、球受け部材２３ａ，２３ｂが、一端にて入球口２２ａ，２２ｂを開閉するために回動可能に取り付けられている。球受け部材２３ａ、２３ｂの上端は、入球口２２ａ，２２ｂの後方に回動可能に取り付けられた開閉バー２４ａ，２４ｂの他端に回動可能に取り付けられている。開閉バー２４ａ，２４ｂは、電磁ソレノイド２４ｃ（図２には示さない）の駆動により一定角度の範囲を回動し、球受け部材２３ａ，２３ｂを回動させて、入球口２２ａ，２２ｂを開閉するようになっている。可変入賞球装置２０内には、大入賞選別部２５が設けられており、入賞球を特別の利益が与えられる大入賞と通常の入賞に選別するようになっている。
【０００７】
大入賞選別部２５は、上から順に入球口２２ａ，２２ｂに連絡通路（図示しない）を介して続く開口部２５ａを設けており、開口部２５ａの後ろ側には入賞球検出スイッチ２５ｂを取り付けている。開口部２５ａの下側には、第１回転盤２５ｃが垂直軸を中心として右周りに回転自在に設けられている。第１回転盤２５ｃは、１箇所に遊技球を下方に落下させる開口部２５ｃ１を設けている。第１回転盤２５ｃの下側には、径が第１回転盤２５ｃより大きな第２回転盤２５ｄが設けられている。第２回転盤２５ｄは、第１回転盤２５ｃと同軸的に設けた垂直軸を中心として左回りに回転自在に配設されており、１箇所に遊技球を下方に落下させる開口部２５ｄ１を設けている。そして、第２回転盤２５ｄの下側には、中央に大当りを規定するＶゾーンと呼ばれる特別入賞口２５ｅを設け、左右に通常の入賞を規定する入賞口２５ｆを設けている。特別入賞口２５ｅの内部には、特別入賞球検出スイッチ２５ｇが設けられている。
【０００８】
そして、入球口２２ａ，２２ｂに入球した遊技球は、連絡通路を通って開口部２５ａから第１回転盤２５ｃに落下する。第１回転盤２５ｃに落下した遊技球は、開口部２５ｃ１位置から第２回転盤２５ｄに落下する。第２回転盤２５ｄに落下した遊技球は、開口部２５ｄ１から下方に落下する。そして、開口部２５ｃ１と開口部２５ｄ１が、ちょうど第２回転盤２５ｃの下の中央部に位置する特別入賞口２５ｅと重なったときに、遊技球が開口部２５ｃ１から落下すると、遊技球は特別入賞口２５ｅに入球し、大入賞が得られるようになっている。
【０００９】
大入賞になると、例えば球受け部材２３ａ，２３ｂが連続して１５回開閉するか、または遊技球が１０個入賞するまで開閉する連続開閉動作を行う。さらに、球受け部材２３ａ，２３ｂが連続開閉動作を行っている間に、遊技球が特別入賞口２５ｅに入球すると、継続権が発生して直ちに連続開閉動作は中止され、一定時間後に新たな球受け部材２３ａ，２３ｂの連続開閉動作が開始される。そして、球受け部材２３ａ，２３ｂの連続開放動作中には、入賞球は特別入賞口２５ｅに非常に入球しやすいため、一旦このような球受け部材２３ａ，２３ｂの連続開閉動作が開始されると、通常は以後も連続開閉動作が継続して続けられるようになる。この連続開閉動作の継続回数は、一定回数例えば１５回に定められており、開口部２５ａの上部に設けた継続回数表示部２６が継続回数を表示するようになっている。また、特別入賞口２５ｅの下側には、大入賞中に発生する入賞個数を表示する入賞数表示部２７が設けられている。なお、上記連続開閉動作の態様及び継続回数については一例であり、種々の態様及び継続回数に変更することができる。
【００１０】
始動口１４ａ，１４ｂの内部には、遊技球の入賞を検出する始動入賞球検出スイッチ１４ｃ，１４ｄが設けられている。変動図柄表示部１５は、後述する制御回路４１の制御に基づいて球受け部材２３ａ，２３ｂの開閉回数を規定する変動図柄を表示するもので、通常は一定図柄を表示し続け、始動口への入賞に応じて一定短時間図柄の変動表示を行った後に選択された一図柄を表示するものである。変動図柄としては、例えば６個の偶数と３個の奇数を用い、これをランダムに発生させて、偶数が表示されたときには、球受け部材２３ａ，２３ｂの開閉回数を通常回数である１回とし、奇数が表示されたときには、球受け部材２３ａ，２３ｂの開閉回数を特別回数である２回とするものである。なお、特別回数とは、通常回数より多い開閉回数のことである。
【００１１】
ただし、変動図柄としては、これに限るものではなく、例えば複数の数字を用意し、予めその内の特定数を選択しておき、特定数が表示されたときに球受け部材２３ａ，２３ｂの開閉回数を２回とし、その他の数字が表示されたときには、球受け部材２３ａ，２３ｂの開閉回数を１回とするような方法も用いることができる。また、変動図柄表示部１５の表示方法としては、遊技開始により図柄の変動表示を行い、始動口に遊技球が入賞したときに停止して一定図柄を一定時間表示しその後再び変動表示を行うような方法もある。
【００１２】
なお、本体１０の遊技盤１１の下側には、遊技球を貯留すると共に賞品球を受ける受け皿１８が設けられ、受け皿の下側には下皿１８ａが設けられている。下皿１８ａの右側端には遊技球発射装置（図示しない）に連動する操作ハンドル１９が設けられている。
【００１３】
つぎに、上記変動図柄表示部１５及び可変入賞球装置２０の動作を制御する電気制御装置について、図３のブロック回路図により説明する。この電気制御装置４０は、制御回路４１を設けており、制御回路４１は、ＲＯＭ，ＲＡＭ，ＣＰＵ，タイマ，カウンタ，Ｉ／Ｏ等を備えたマイクロコンピュータにより構成されており、図４、図８に示すフローチャートに対応した「可変入賞制御プログラムＩ」及び「可変入賞制御プログラムＩＩ」を実行し続けると共に、図５に示すフローチャートに対応した「入賞球制御インタラプトプログラム」の割り込み実行を行うものである。また、制御回路４１は、カウンタの値に応じて球受け部材の開閉回数及び表示図柄を決定するようになっており、例えば、０〜１４の数字をカウントし、その内の２／３個を開閉回数１回に対応させ１／３個を開閉回数２回に対応させる。そして、制御回路４１は、開閉回数１回に対して表示図柄として６個の偶数を対応させ、開閉回数２回に対して表示図柄として３個の奇数を対応させる。
【００１４】
制御回路４１の入力側には、上記左右の始動口入賞球検出スイッチ１４ｃ，１４ｄと、入賞球検出スイッチ２５ｂ及び特別入賞球検出スイッチ２５ｇが接続されている。制御回路４１の出力側には、上記変動図柄表示部１５、球受け部材用の電磁ソレノイド２４ｃ、継続回数表示部２６及び入賞数表示部２７が、駆動回路４２〜４５を介して接続されている。駆動回路４２〜４５は、制御回路４１からの出力に応じて、変動図柄表示部１５、球受け部材用の電磁ソレノイド２４ｃ、継続回数表示部２６及び入賞数表示部２７を作動させる。
【００１５】
つぎに、上記のように構成した第１実施形態の動作について説明する。パチンコ遊技機の電源スイッチ（図示しない）をオンさせることにより、「可変入賞制御プログラムＩ」の実行が図４に示すステップ５０にて開始され、ステップ５１にて各種変数の初期化処理が行われる。そして、遊技者が、受け皿１８に遊技球を供給し、操作ハンドル１９を操作することにより、遊技球が発射装置（図示しない）により連続的に発射され、ガイドレール１１ｂを通過して遊技領域１１ａ内に供給される。そして、遊技球がいずれかの始動口１４ａ，１４ｂに入賞すると、始動口入賞球検出スイッチ１４ｃ，１４ｄにより検出信号が出力される。これを受けて制御回路４１は、ステップ５２にて「ＹＥＳ」との判定の基にプログラムをステップ５３に移行させ、始動口１４ａ，１４ｂの遊技球の入球を制限させる（以下、始動口制限状態と記す）。すなわち、始動口１４ａ，１４ｂに遊技球が入球したときに、これを始動口への入賞とするが、これによって球受け部材２３ａ，２３ｂを開閉させないように処理したものである。
【００１６】
つぎに、制御回路４１は、ステップ５４にて、カウンタの数字により球受け部材２３ａ，２３ｂの開閉回数を１回または２回に決定する。そして、ステップ５５にて開閉回数１回か２回かが選別され、１回のときにはステップ５６にてランダムな数字列を表す図柄変動信号を一定時間出力する。駆動回路４２はこれに応じて、変動図柄表示部１５に図柄の変動を一定時間表示させる。さらに、一定時間後にステップ５７にて、変動図柄表示部１５に球受け部材２３ａ，２３ｂの１回開閉を表わす偶数図柄が表示される。そして、ステップ５８にて球受け部材２３ａ，２３ｂを１回開閉させる信号が出力され、これに応じて駆動回路４３は電磁ソレノイド２４ｃを励磁させ、球受け部材２３ａ、２３ｂを回動させて、入球口２２ａ，２２ｂを一定時間例えば０．５秒開放させる。これにより、遊技盤１１に供給された遊技球は、可変入賞球装置２０内への入球の可能性が与えられる。
【００１７】
また、開閉回数が２回のときにはステップ５５にて２回が選別され、ステップ６０にてランダムな数字列を表す図柄変動信号が一定時間出力され、駆動回路４２はこれに応じて、変動図柄表示部１５に図柄の変動を一定時間表示させる。さらに、一定時間後にステップ６１にて、変動図柄表示部１５に球受け部材２３ａ，２３ｂの２回開閉を表わす奇数図柄が表示される。そして、ステップ６２にて球受け部材２３ａ，２３ｂを２回開閉させる信号が出力され、これに応じて駆動回路４３は電磁ソレノイド２４ｃを励磁させ、球受け部材２３ａ、２３ｂを回動させて、入球口２２ａ，２２ｂを一定間隔で２回一定時間の開放を行わせる。これにより、遊技球の可変入賞球装置２０内への入球の可能性が高められる。そして、球受け部材２３ａ，２３ｂの開閉終了後に、ステップ５９にて始動口制限状態が解除され、プログラムはステップ５２に戻され、以下上記した処理が繰り返される。
【００１８】
以上に説明したように、本実施形態によれば、可変入賞球装置２０への入賞を可能にする球受け部材２３ａ，２３ｂの開閉による入球口の開放の回数が、遊技球が始動口１４ａ，１４ｂに入賞した後、すぐには遊技者に明らかにされず、変動図柄表示部１５の表示内容が確定した後に、はじめて明らかにされる。そのため、遊技者は、球受け部材２３ａ，２３ｂの回動回数が何回になるかについて期待感をもつことができ、遊技の進行が複雑化されることにより遊技に対する興趣が高められる。
【００１９】
さらに、開閉回数を、通常回数である１回と特別回数である２回とに分けることにより、特別回数の発生への期待感を高めることができる。また、始動口１４ａ，１４ｂへの遊技球の入賞から球受け部材２３ａ，２３ｂの開閉回数の変動図柄表示部１５への表示までに一定時間を設けたことにより、開閉回数決定に至るまでの期待感が高められる。
【００２０】
そして、上記「可変入賞制御プログラムＩ」の実行中に、図５に示す「入賞球制御インタラプトプログラム」の割り込み実行が制御回路４１によって行われ、球受け部材２３ａ，２３ｂの開閉に伴う可変入賞球装置２０内の作動制御が行われる。すなわち、図５に示すステップ７０にてプログラムの実行が開始され、ステップ７１及びステップ８１にて球受け部材２３ａ，２３ｂが１回開閉か２回開閉か、すなわち開閉バー２４ａ，２４ｂの電磁ソレノイド２４ｃの１回駆動が開始されたか２回駆動が開始されたかが判定される。すなわち、始動口１４ａまたは１４ｂに遊技球が入賞し、変動図柄表示部１５が一の図柄を選択表示した後、一定時間が経過すると電磁ソレノイド２４ｃの駆動が開始され、球受け部材２３ａ，２３ｂが回動して入球口２２ａ，２２ｂを開閉させる。１回駆動の場合には、ステップ７１にて「ＹＥＳ」との判定の基に、ステップ７２にて電磁ソレノイド２４ｃの駆動と同時に、制御回路４１に設けたタイマが一定時間ｔ0 のカウントを開始する。この一定時間ｔ0 は、球受け部材２３ａ，２３ｂの１回開閉が終了するまでの開閉時間ｔA1と大入賞判定有効時間ｔB とを合わせた時間である。大入賞判定有効時間ｔB とは、球受け部材２３ａ，２３ｂが閉鎖する直前に入賞した入賞球が、特別入賞口に入賞するまでの時間を考慮して定められたもので例えば４秒である。
【００２１】
そして、ステップ７３，ステップ７４にて開閉時間ｔA1内に入球口２２ａ，２２ｂに入球したか否か、すなわち入賞球が検出されたか否かが判定される。入球しないときは、ステップ７３にて「ＹＥＳ」との判定の基に、プログラムはステップ７５に移されて、制御回路４１はプログラムの実行を終了する。入球したときは、ステップ７４にて「ＹＥＳ」との判定の基にプログラムは、ステップ７６に移されて、ステップ７６，ステップ７７にて一定時間ｔ0 内に特別入賞口２５ｅに入球したか否か、すなわち大入賞球が検出されたか否かが判定される。大入賞しないときには、ステップ７６にて「ＹＥＳ」との判定の基に、プログラムはステップ７５に移されて、制御回路４１はプログラムの実行を終了する。大入賞したときは、ステップ７７にて「ＹＥＳ」との判定の基にプログラムは、ステップ７８に移されて、始動口１４ａ，１４ｂへの遊技球の入賞を球受け部材２３ａ，２３ｂ開閉の対象としない始動口制限状態にされ、さらにステップ７９にて「大入賞ルーチン」が実行される。
【００２２】
「大入賞ルーチン」においては、上記したように、球受け部材２３ａ，２３ｂを連続して１５回開閉させるか、または遊技球が１０個入賞するまで開閉させる連続開閉動作が行われ、この連続開閉動作を行っている間に、遊技球が特別入賞口２５ｅに入球すると、継続権が発生して直ちに連続開閉動作は中止され、一定時間後に新たな連続開閉動作が開始されるものである。そして、「大入賞ルーチン」の実行が終了すると、ステップ８０にて始動口１４ａ，１４ｂへの遊技球の入賞を球受け部材２３ａ，２３ｂ開閉の対象とする始動口制限状態の解除が行われた後、ステップ７５にてプログラムの実行が終了する。
【００２３】
また、球受け部材が２回開閉の場合には、ステップ８１にて「ＹＥＳ」との判定の基に、ステップ８２にて電磁ソレノイド２４ｃの駆動と同時に、制御回路４１に設けたタイマが一定時間ｔ1 のカウントを開始する。この一定時間ｔ1 は、球受け部材２３ａ，２３ｂの２回開閉が終了するまでの開閉時間ｔA2と大入賞判定有効時間ｔB とを合わせた時間である。
【００２４】
そして、ステップ８３、テップ８４にて開閉時間ｔA2内に入球口２２ａ，２２ｂに入球したか否か、すなわち入賞球が検出されたか否かが判定される。入球しないときは、ステップ８３にて「ＹＥＳ」との判定の基に、プログラムはステップ７５に移されて、制御回路４１はプログラムの実行を終了する。入球したときは、ステップ８４にて「ＹＥＳ」との判定の基にプログラムは、ステップ８５に移されて、ステップ８５，ステップ８６にて一定時間ｔ1 内に特別入賞口２５ｅに入球したか否か、すなわち大入賞球が検出されたか否かが判定される。大入賞しないときには、ステップ８５にて「ＹＥＳ」との判定の基に、プログラムはステップ７５に移されて、制御回路４１はプログラムの実行を終了する。大入賞したときは、ステップ８６にて「ＹＥＳ」との判定の基にプログラムは、ステップ８７に移されて、始動口１４ａ，１４ｂへの遊技球の入球を球受け部材２３ａ，２３ｂ開閉の対象としない始動口制限状態にされ、さらにステップ８８にて大入賞ルーチンが実行される。そして、「大入賞ルーチン」の実行が終了すると、ステップ８９にて始動口１４ａ，１４ｂへの遊技球の入球を球受け部材２３ａ，２３ｂ開閉の対象とする始動口制限状態の解除が行われた後、ステップ７５にてプログラムの実行が終了する。以上のように、球受け部材２３ａ，２３ｂの開閉が１回と２回の場合の、可変入賞球装置２０内の作動制御が行われる。
【００２５】
つぎに、第２の実施形態について図面より説明する。第２の実施形態においては、図６に示すように、変動図柄表示部４６を２つの表示領域４６ａ，４６ｂに分けて、左側の表示領域４６ａを図１に示す左側の始動口１４ａに対応させ、右側の表示領域４６ｂを右側の始動口１４ｂに対応させたものである。各表示領域４６ａ，４６ｂには各々駆動回路４７ａ，４７ｂが設けられる。これにより第２の実施形態に係る電気制御装置の回路構成は、図７に示すようになる。また、制御回路４１は、上記第１の実施形態と同様にカウンタの値に応じて球受け部材の開閉回数及び表示図柄を決定するようになっている。そして、制御回路４１は、例えば開閉回数１回に対して異なった表示図柄の組を１０個対応させ、開閉回数２回に対しては同一の表示図柄の組を５個対応させる。そして、「可変入賞制御プログラムＩＩ」のフローチャートとして、図８に示すように構成した。その他の構成は、上記第１の実施形態と同様である。
【００２６】
以上のように構成した第２の実施形態の動作について説明する。上記第１の実施形態において説明したように、パチンコ遊技機の電源スイッチ（図示しない）をオンさせることにより、「可変入賞制御プログラムＩＩ」の実行が図８に示すステップ１００にて開始され、ステップ１０１にて各種変数の初期化処理が行われ、同時に両表示領域４６ａ，４６ｂの表示が「１」にされる。つぎにステップ１０２にて左右表示領域４６ａ，４６ｂの表示内容が読み取られ、ここでは左右とも「１」が、制御回路４１に記憶される。そして、ステップ１０３及びステップ１０４にて、遊技球が左始動口１４ａか右始動口１４ｂのいずれに入賞したが判定される。遊技球が左始動口１４ａに入賞したときは、ステップ１０３にて「ＹＥＳ」との判定の基にプログラムはステップ１０５に移され、始動口制限状態にされる。
【００２７】
つぎに、制御回路４１は、ステップ１０６にてカウンタの数字により球受け部材２３ａ，２３ｂの開閉回数が１回かまたは２回かを決定する。そして、ステップ１０７にて開閉回数１回か２回かが選別され、１回のときにはステップ１０８にて数字列を表す図柄変動信号が一定時間出力される。駆動回路４７ａはこれに応じて、左側表示領域４６ａに図柄の変動を一定時間表示させる。さらに、一定時間後にステップ１０９にて、左側表示領域４６ａに右側表示領域４６ｂと異なる図柄が表示され、球受け部材２３ａ，２３ｂの１回開閉を表わすことが表示される。そして、ステップ１１０にて球受け部材２３ａ，２３ｂを１回開閉させる信号が出力され、これに応じて駆動回路４３は電磁ソレノイド２４ｃを励磁させ、球受け部材２３ａ、２３ｂを回動させて、入球口２２ａ，２２ｂを一定時間例えば０．５秒開放させる。これにより、遊技盤１１に供給された遊技球は、可変入賞球装置２０内への入球の可能性が与えられる。
【００２８】
開閉回数が２回と決定されたときには、ステップ１０７にて開閉回数２回が選別され、ステップ１１２にてランダムな数字列を表す図柄変動信号を一定時間出力する。駆動回路４２はこれに応じて、左側表示領域４６ａに図柄の変動を一定時間表示させる。さらに、一定時間後にステップ１１３にて、左側表示領域４６ａに右側表示領域４６ｂと同一図柄が表示され、球受け部材２３ａ，２３ｂの２回開閉を表わすことが表示される。そして、ステップ１１４にて球受け部材２３ａ，２３ｂを２回開閉させる信号が出力され、これに応じて駆動回路４３は電磁ソレノイド２４ｃを励磁させ、球受け部材２３ａ、２３ｂを回動させて、入球口２２ａ，２２ｂを２回開放させる。これにより、遊技盤１１に供給された遊技球の可変入賞球装置２０内への入球の可能性が高められる。そして、球受け部材２３ａ，２３ｂの開閉終了後に、ステップ１１１にて始動口制限状態が解除され、プログラムはステップ５２に戻され、以下上記した処理が繰り返される。
【００２９】
また、遊技球が右始動口１４ｂに入賞したときは、ステップ１０４にて「ＹＥＳ」との判定の基にプログラムはステップ１１５に移され、始動口制限状態にされる。そして、ステップ１１６にて球受け部材２３ａ，２３ｂの開閉回数が決定される。１回のときは、ステップ１１７にて開閉回数１回が選別され、ステップ１１８にて右表示領域４６ｂに一定時間図柄の変動が表示される。そして、変動表示が停止された後、ステップ１１９にて左表示領域４６ａと異なる一図柄が右表示領域４６ｂに表示される。そして、ステップ１２０にて球受け部材２３ａ，２３ｂを１回開閉させる信号が出力され、これに応じて駆動回路４３は電磁ソレノイド２４ｃを励磁させ、球受け部材２３ａ、２３ｂを回動させて、入球口２２ａ，２２ｂを１回開放させる。
【００３０】
開閉回数が２回と決定されたときには、ステップ１１７にて開閉回数２回が選別され、ステップ１２１にてランダムな数字列を表す図柄変動信号を一定時間出力する。駆動回路４７ｂはこれに応じて、右側表示領域４６ｂに図柄の変動を一定時間表示させる。さらに、一定時間後にステップ１２２にて、右側表示領域４６ｂに左側表示領域４６ａと同一の図柄が表示され、球受け部材２３ａ，２３ｂの２回開閉を表わすことが表示される。そして、ステップ１２３にて球受け部材２３ａ，２３ｂを２回開閉させる信号が出力され、これに応じて駆動回路４３は電磁ソレノイド２４ｃを励磁させ、球受け部材２３ａ、２３ｂを回動させて、入球口２２ａ，２２ｂを２回開放させる。
【００３１】
そして、球受け部材２３ａ，２３ｂの開閉終了後に、ステップ１１１にて始動口制限状態が解除され、プログラムはステップ１０２に戻され、以下上記した処理が繰り返される。なお、「可変入賞制御プログラムＩＩ」の繰り返し実行中に、上記「入賞球制御インタラプトプログラム」が割り込み実行されることについては、上記第１の実施形態と同様である。
【００３２】
以上に説明したように、第２の実施形態においては、遊技球が始動口１４ａ，１４ｂに入賞したことによって遊技者には球受け部材２３ａ，２３ｂの開閉回数が何回になるかは直ちに明かにはされず、変動図柄表示部４６の入賞した始動口に対応する表示領域４６ａ，４６ｂの表示内容が確定し、他の始動口に対応する表示領域の表示内容との異同を判定することにより、はじめて明らかにされる。そのため、遊技者は、球受け部材２３ａ，２３ｂの開閉回数が何回になるかについて期待感をもつことができ、遊技の進行が複雑化されることにより遊技の興趣が高められる。
【００３３】
さらに、開閉回数を、通常回数である１回と特別回数である２回に分けることにより、特別回数の発生への期待感を高めることができると共に、両表示領域４６ａ，４６ｂの図柄の異同により、通常回数と特別回数の識別を容易にした。また、始動口１４ａ，１４ｂへの遊技球の入賞から球受け部材２３ａ，２３ｂの開閉回数の表示までに一定時間を設けたことにより、開閉回数決定に至るまでの期待感が高められる。
【００３４】
なお、上記実施形態においては、可変入賞球装置については、第１及び第２回転盤を用いたタイプのものについて説明しているが、可変入賞球装置については、この他に種々のタイプのものがあり、いずれのタイプに対しても本発明を適用することができる。
【図面の簡単な説明】
【００３５】
【図１】本発明の一実施形態に係るパチンコ遊技機を概略的に示す正面図である。
【図２】同パチンコ遊技機の遊技領域を概略的に示す拡大正面図である。
【図３】同パチンコ遊技機の電気制御装置の電気回路構成を示すブロック図である。
【図４】図３に示す制御回路により実行される「可変入賞制御プログラムＩ」のフローチャートである。
【図５】図３に示す制御回路により実行される「入賞球制御インタラプトプログラム」のフローチャートである。
【図６】第２の実施形態に係る変動図柄表示部を概略的に示す正面図である。
【図７】第２の実施形態に係る電気制御装置の電気回路構成を示すブロック図である。
【図８】図７に示す制御回路により実行される「可変入賞制御プログラムＩＩ」のフローチャートである。
【図９】従来例に係るパチンコ遊技機の遊技領域を概略的に示す拡大正面図ある。
【符号の説明】
【００３６】
１０…本体、１１…遊技盤、１４ａ，１４ｂ…始動口、１４ｃ，１４ｄ…始動入賞検出スイッチ、１５…変動図柄表示部、２０…可変入賞球装置、２２ａ，２２ｂ…入球口、２３ａ，２３ｂ…球受け部材、２４ａ，２４ｂ…開閉バー、２４ｃ…電磁ソレノイド、２５…大入賞選別部、２５ｂ…入賞球検出スイッチ、２５ｅ…特別入賞口、２５ｇ…特別入賞球検出スイッチ、４０…電気制御装置、４１…制御回路、４６…変動図柄表示部、４６ａ…左表示領域、４６ｂ…右表示領域。
【図１】
2006255470.tif 000003
【図２】
2006255470.tif 000004
【図３】
2006255470.tif 000005
【図４】
2006255470.tif 000006
【図５】
2006255470.tif 000007
【図６】
2006255470.tif 000008
【図７】
2006255470.tif 000009
【図８】
2006255470.tif 000010
【図９】
2006255470.tif 000011